(57)【要約】      （修正有）【課題】フリーアクセスフロアに乾式工法で石や粘土を平板状に成型焼成した床タイルを施工する工法。【解決手段】フリーアクセスフロア３に平板形状をした床施工用資材２を剥がし再張付けできる接着材６で張付け、その表面に平板状の石やタイル１を接着固定して床面を構成する。床施工用資材２の少なくとも２辺に小さい床タイル位置固定突起部４による表面凹部に床タイルを挿入して固定することでタイル床面を構成する。また、床施工用資材２の４隅又は４辺に嵌合凹凸部を形成し、複数の床施工用資材２を嵌合する。位置固定突起部４を床施工用資材の周辺及び周辺以外に設けて、凹部に複数個の床タイルを挿入係止するか、接着材で張付けて床タイル面を構成する。さらに、床タイルの側面に目地テープを貼り付けて隙間を一定にして張付けて床タイル面を構成する。【選択図】図２
2009250019.tif 000002
【特許請求の範囲】
【請求項１】
建物の床にあって、その下部に配線空間を有する床パネルユニット、以下フリーアクセスフロア３と呼ぶ、に厚さ０．３ｍｍから４０ｍｍの平板状床施工用資材２を剥がし再張付けできる床施工用資材張付け接着材６で張付けて、その表面に平板状の石や粘土を平板状に成型焼成した床タイル１を床タイル張付け接着材５で接着固定することで床タイル面を構成することを特徴としたフリーアクセスフロアタイル張り工法。
【請求項２】
請求項１において、床施工用資材２が床タイル１の平面形状と該等しく四角平板形状を成し、少なくとも２辺に床タイル１の位置を固定するための床タイル１の厚みより小さい位置固定突起部４を表面に形成して、複数個の床施工用資材２をフリーアクセスフロア３に剥がし再張付けできる床施工用資材張付け接着材６で張付けて表面の位置固定突起部４により形成される凹部に床タイル１を挿入して係止するか、又は、床タイル張付け接着材５で接着固定することで床タイル面を構成することを特徴としたフリーアクセスフロアタイル張り工法。
【請求項３】
請求項２において、その４隅又は４辺に床施工用資材２同志を平面状に結合する為の嵌合凹部９、嵌合凸部１０を形成して複数の床施工用資材２をお互いに嵌合接合出来るようにしたことを特徴としたフリーアクセスフロアタイル張り工法。
【請求項４】
請求項２において、床施工用資材２の４辺がフリーアクセスフロアの４辺と該一致しており、床タイルの目地とフリーアクセスフロアの目地を一致させて、剥がし再張付けできる床施工用資材張付け接着材６で張付けることを特徴としたフリーアクセスフロアタイル張り工法。
【請求項５】
請求項１において、床施工用資材の周辺及び周辺以外に床タイルの厚みより小さい位置固定突起部４を表面に形成して、その位置固定突起部４より構成される凹部に複数個床タイル１を挿入係止するか、床タイル張付け接着材５で張付けて床タイル面を構成することを特徴としたフリーアクセスフロアタイル張り工法。
【請求項６】
請求項１において、床タイル１の側面に１ｍｍから３０ｍｍの厚さで高さが床タイル１の厚さより小さい目地テープ７を貼り付けて、複数個の床タイル１の厚さと直角方向の相互の隙間を一定にして張付けることを特徴としたリーアクセスフロアタイル張り工法。
【発明の詳細な説明】
【技術分野】
【０００１】  この発明は、建物の床に平板状の石や粘土を平板状に成型焼成した床タイルを下部に配線空間を有する平板上床パネルユニット、以下フリーアクセスフロア３と呼ぶに張り付ける工法及びその構造に関する。
【背景技術】
【０００２】  従来、床タイルは、コンクリート躯体など床面に下地モルタルの下地層を形成した上に張り付けモルタルで張り付ける湿式法により施工されている。
近年事務所ビルの床にはコンピューターおよびインターネットの普及でフリーアクセスフロアが採用される事が多くなっている。一方床仕上げに床タイルを用いることも多くなっている。しかし、フリーアクセスフロアに湿式で床タイルを張付ける事は困難であり、乾式工法が求められている。【０００３】  床タイルは天然石を切り出したものや粘土を高温焼成したものがほとんどであり、自然資源の枯渇を避けるため、またエネルギーの節約のため床タイルの再利用も社会的要請である。
【発明の開示】
【発明が解決しようとする課題】
【０００４】  モルタル等で床に床タイルを張り付ける湿式法には次のような欠点があった。
イ．  床タイルを張付けるために下地床を平面に下地調整しなければならない。
ロ．  湿式法により床タイルを床面に強固に張付けるため、床がフリーアクセスフロアの場合は後で配線を床下に通せない。
ハ．  貼り付けモルタルの乾燥収縮亀裂による床タイルの亀裂。
ニ．  張り付けモルタルの調合、混錬、塗りつけに手間がかかることにより施工スピードが遅くなる。
ホ．  モルタルの完全硬化に関わる時間が約４週間と長く、建物の全体工期も長くなる。
ヘ．  床タイルを１枚１枚現場で目地合わせしなければならず施工手間がかかる。
ト．  床タイルの貼り付けモルタルの重量が床全体の重量に加算されて、床の重量が大きくなり、ひいては建物の耐震性能が低下する。
チ．  湿式工法による貼り付けモルタルによる建物の汚れ、目地のはみだしモルタルによる床の汚れが発生して床及び建物を汚すこととなる。
リ．  湿式工法では床タイルを１枚１枚現場で目地合わせしなければならず目地間隔を一定に保持することが困難であり、目地の通りが整然と保たれない。
ヌ．  床の平面性について、床タイル１枚ごとの現場での厚さ合わせが必要となり、床面の平面性が低下する。
ル．  床タイルの張替えは困難であり、汚れた床タイルを破損することなく新しい床タイルに交換不可能、従って古い床タイルを洗浄によりリサイクルができず資源の有効活用ができない。
本発明はこれらの欠点を解決するために発明されたものである。
【課題を解決するための手段】
【０００５】  本発明者は上記のような状況に鑑み鋭意検討の結果、以下に記載するような発明をなすに至ったものである。
建物の床にあって、フリーアクセスフロア３に厚さ０．３ｍｍから４０ｍｍの平板形状をした床施工用資材２を剥がし再張付けできる床施工用資材張付け接着材６で張付ける。
その表面に平板状の石や粘土を平板状に成型焼成した床タイル１を床タイル張付け接着材５で接着固定して床タイル面を構成する。
床施工用資材２を床タイル１の平面形状と該等しく四角平板形状を成させて、少なくとも２辺に床タイル１の位置を固定するための床タイル１の厚みより小さい位置固定突起部４を表面に形成させる。
複数個の床施工用資材２をフリーアクセスフロア３に剥がし再張付けできる床施工用資材張付け接着材６で張付ける。
表面の位置固定突起部により形成される凹部に床タイル１を挿入して係止するか又は、床タイル張付け接着材５で接着固定することで床タイル面を構成することができる。
床施工用資材２の４隅又は４辺に床施工用資材同士を平面状に結合する為の嵌合凹部９、嵌合凸部１０を形成して、複数の床施工用資材２をお互いに嵌合接合して床タイル面を構成することができる。
床施工用資材２の４辺をフリーアクセスフロアの４辺と該一致させて、更に床タイルの目地とフリーアクセスフロアの目地を一致させて、剥がし再張付けできる床施工用資材張付け接着材６で張付ける。
床施工用資材２の周辺及び周辺以外に床タイルの厚みより小さい位置固定突起部を表面に形成して、その位置固定突起部４により形成される凹部に複数個の床タイルを挿入係止するか、床タイル張付け接着材５で張付けて床タイル面を構成する。また床タイル１の側面に１ｍｍから３０ｍｍの厚さで高さが床タイル１の厚さより小さい目地テープ７を貼り付けて、複数個の床タイル１の厚さと直角方向の相互の隙間を一定にして張付けて床タイル面を構成する。
【発明の効果】
【０００６】  本発明を使用することによって。従来のモルタル等で床に床タイルを張り付ける湿式法にくらべて、フリーアクセスフロアに接着材で床タイルを張付けるために下地床を平面に下地調整する必要がない。
床タイルを専用接着材で床面にいつでも剥せるように張付けるため、床がフリーアクセスフロアの場合の各種配線をいつでも床下に通すことができる。
貼り付けモルタルの乾燥収縮亀裂による床タイルの亀裂がない。張り付けモルタルの調合、混錬、塗りつけの手間がなく施工スピードが速くなる。
モルタルの完全硬化に関わる時間の約４週間が省略でき、建物の全体工期を短縮できる。
床タイルを１枚１枚現場で目地合わせする必要がなく施工手間が省ける。接着材により床に張付けるため床全体の重量が大きくならず、建物の耐震性能を低下させることがない。乾式工法により張付けるため建物の汚れ、目地のはみだしモルタルによる床の汚れが発生せず床及び建物を汚すことが少ない。
床タイルを目地が付いた成型品のベース材に挿入して施工するため１枚１枚現場で目地合わせする必要がなく、目地間隔を一定に保持することが安易であり、目地の通りが整然と保たれる。
床の平面性についても、床がフリーアクセスフロアでは高さ調整がすでに済んでおり、床面の平面性が保持されている。
床タイルの張替が可能であり、汚れた床タイルを破損することなく新しい床タイルに交換できる、従って古い床タイルを洗浄によりリサイクルができて資源の有効活用ができる。
【発明を実施するための最良の形態】
【０００７】以下、本発明を実施するための最良の形態について説明する。
建物の床に張付けられる床タイル１は自然石から切り出されたものや粘土類を焼成して成型された平板状のタイルで、特に裏面を加工したものでなくても良い。本発明の床施工用資材２はプラスチック又は金属で形成されたものでフリーアクセスフロア３に敷き並べられる。
フリーアクセスフロア３表面は高さ調整されていることがのぞましく、高さ調整機構のない置き敷きタイプであっても置き敷き前の床面は均しモルタルで表面が平らに仕上げられていることが最良であるが、躯体コンクリート１３の表面精度が高ければフリーアクセスフロア３はそのまま敷き並べることができる。
床施工用資材２は０．３ｍｍから４０ｍｍ厚さで床施工用資材２の素材によりその厚みは決定されるが、居室の天井高を阻害しないように一般に該８ｍｍ程度が最良である。
床施工用資材２をフリーアクセスフロアに張付ける床施工用資材張付け接着材６は剥がし再張付けできる接着材で、タイルカーペット等の接着に使用されている水性アクリル樹脂系エマルジョン形の接着剤、所謂ピールアップセメントでよい。また、床タイル１と床施工用資材２との床タイル張付け接着材５は合成樹脂系の接着材でゴム系、酢酸ビニル系、エポキシ系接着剤等でよい。
床施工用資材２表面の少なくとも２辺に床タイル１の位置を固定するための床タイル１の厚みより小さい位置固定突起部４を設けるばあいはその厚みは後に挿入係止又は、接着固定される床タイル１同志間の目地の幅に依存しており、該５ｍｍ程度が一般的である。４辺に位置固定突起部４を形成してもよく、その場合その厚みを床タイル１同志の目地幅の該半分の厚みにする。
床施工用資材２の４辺をフリーアクセスフロア３の４辺と該一致させることでフリーアクセスフロア３同志の不陸、変形、更に躯体床面の不陸を吸収することができる。
複数の床施工用資材２をお互いに嵌合接合するように床施工用資材２の４隅又は４辺に嵌合凹部９、嵌合凸１０を形成する場合は、嵌合凹部９、嵌合凸１０の形状は丸、四角、三角など、嵌合できる形状とするが、上下方向に嵌合できる形状でもよい。
床施工用資材２の４隅又は４辺において平面状に嵌合結合されてなる複数の床施工用資材２表面の位置固定突起部４により形成された凹部に床タイル１を挿入固定することで床タイル面が構成される。
床施工用資材２表面の位置固定突起部４がそのまま床タイル１の目地とすることもできる。床施工用資材２は複数個の床タイル１を挿入固定するようにその周辺以外に床タイル１の厚みより小さい位置固定突起部４を設けて位置固定突起部４より構成される凹部に複数の床タイル１を挿入して床タイル面を構成することができる。
床タイル１が加工されて平面形状が変形しても目地を確保するために床タイル１の側面に目地テープ７を貼り付けて、床施工用資材２に床タイル張付け接着材５で張付け施工できるようにしている。目地テープ７の材質は金属、プラスチックでよく、木材でも防腐処理されていればよい。目地テープ７の接着は一般の合成樹脂系の接着材でよく、テープに糊付けされたものでもよい。
【実施例】
【０００８】  図３は本発明のフリーアクセスフロアタイル張り工法の実施例である。
実施例の床パネルの厚さは１０ｍｍであり粘土を高温焼成した平板上パネルである、床施工用資材２はポリエチレンで成形されており、その厚さは６ｍｍ、その４辺に厚さ２．５ｍｍで、高さ７ｍｍの位置固定突起部４を設けている。
複数個の床施工用資材２がフリーアクセスフロアの上に床施工用資材張付け接着材６としてタイルカーペット等の接着に使用されている水性アクリル樹脂系エマルジョン形の接着剤、所謂ピールアップセメントで張付けられている。床施工用資材張付け接着材６は剥がし再張付け可能な接着材である。
張付けられた複数の床施工用資材２の位置固定突起部４により構成された凹部に床タイル１が挿入係止されているが、本実施例では床タイルは床施工用資材２に接着されていないが、接着材で接着も可能である。
複数個の床施工用資材２同志がフリーアクセスフロア３に側面を密着させて張付けられ、位置固定突起部４が合わされて該幅５ｍｍの目地を形成する
目地はそのまま床タイル面の目地として使用されているが、更に美観向上、防水性能向上のために目地上からタイル面に合わせて変性ウレタンのシーリングを打つこともある。その場合位置固定突起部４と床タイル面より形成される溝底部はシーリングの目地底として利用できる。
【図面の簡単な説明】
【０００９】
【図１】  本発明の床施工用資材で床タイルをフリーアクセスフロアに張付けた斜視図
【図２】  本発明の床施工用資材で床タイルをフリーアクセスフロアに張付けた断面図
【図３】  本発明の工法で複数の床タイルを施工した床斜視図
【図４】  本発明の接続凹凸部を付けた床施工用資材施工を説明した分解斜視図
【図５】  本発明の工法で１つの床施工用資材に複数の床タイルを張付け斜視図
【図６】  本発明の目地テープを使って床タイルを張付けた斜視図
【図７】  接着モルタルで床タイルを敷き込み接着した従来技術の断面斜視図
【符号の説明】
【００１０】  １  床タイル
２  床施工用資材
３  フリーアクセスフロア
４  位置固定突起部
５  床タイル張付け接着材
６  床施工用資材張付け接着材
７  目地テープ
８  配線
９  嵌合凹部
１０  嵌合凸部
１１  下地調整モルタル
１２  目地モルタル
１３  躯体コンクリート
【図１】
2009250019.tif 000003
【図２】
2009250019.tif 000004
【図３】
2009250019.tif 000005
【図４】
2009250019.tif 000006
【図５】
2009250019.tif 000007
【図６】
2009250019.tif 000008
【図７】
2009250019.tif 000009